(57)【特許請求の範囲】
【請求項１】
木質の絶縁性板状部材を取付け基盤（１）とし、前記取付け基盤（１）に取付けるべき単位照明器具（３，１３）の数ならびにそれらの各取付け位置に対応する複数個の孔（２）を配設するとともに、単位照明器具（３，１３）を貫通させて固着（３ａ，１３ａ）し、それぞれ前記取付け基盤（１）の裏面（１ｂ）の側で電気を供給するため電気配線（４）を施し、さらに電気配線（４）を接続するソケット端子部（３ｂ）に対しては塵埃と吸湿による電気的故障を未然に防止するためのカバー（３ｃ）を取付けて成すもので、基盤（１）から単位照明器具（３，１３）が着脱自在になしうることを特徴とした屋内照明装置。
【請求項２】
前記取付け基盤（１）の表面に耐熱、耐腐食性塗装もしくは模様を施こしてなる【請求項１】記載の屋内照明装置
【請求項３】
前記取付け基盤（１）の周縁隅部に数個の孔（５）を設け、該孔を通して紐（５ａ）あるいは金属製チェーンで掛吊りするか、又はボルト・ナットやこれに類するもので固定した［請求項１］記載の屋内照明装置。
【発明の詳細な説明】
【０００１】
【発明の属する技術分野】
本発明は、木質の絶縁性板状部材を取付け基盤とし、その基盤自体の強度で各単位照明器具とその関連手段を支持してなる照明装置で該盤、単位照明器具、電気配線等を各々取付け取外しが容易にできるようにした構造を有する装置に関する。
【０００２】
【従来の技術】
金属又は木材で製作した複数の支持部材を交錯させてなる格子状枠を天井から吊り、その各格子にそれぞれ単位照明器具を吊るす。その電源は複数のコードに連なる同格子状外枠に取付けた複数のＯＡタップやコンセントをから採るが、美観上は思わしくなく、同時に格子状枠が天井と単位照明器具の中間に入り照明の位置が下がるという欠点がある。
【０００３】
前述したような木製格子状枠にその格子サイズに見合った前記とは別の単位照明器具複数を載置して使用する場合は、照明装置全体がコスト高になることに加え、電球が格子より上方に位置するため格子状枠の厚さで拡散する光が遮光され電球の照明範囲が狭くなるという問題点がある。
【０００４】
屋内の同一個所またはその近傍の照度を上げる場合は通常▲１▼電球の光束の多いものに取り替えるか、▲２▼新たに電力供給配線と単位照明器具を増設する方法が採られている。しかし前者▲１▼は照度を上げられるが、均一性に欠け照度が不充分になりがちである。後者▲２▼は天井裏や壁裏の隠蔽配線が出来ないような事情であると、露出配線になるので美観が損なわれる。のみならず、該器具の重量の如何によっては天井面の変形をもたらし破損を招く原因になる。
【０００５】
【発明が解決しようとする課題】
かくして従来技術における問題点に鑑み、本発明は電力を供給する一本の配線から、美観を損ねることなく且つ壁面、天井面を傷付けることなく単位照明器具の増設を可能にするという課題を解決することに指向する。
【０００６】
一般に新築、既存の如何を問わずその家に居住した後で、部屋および家屋全体に必要かつ適切な照明が得られていないことを後に気付くものであるが、本発明はそのような場合でも、適切かつ容易に美観を損ねることなく単位照明器具の増設により、光の方向性や電球の色温度組合せによる演色性を改善して快適空間の設計を可能とする。
【０００７】
【課題を解決するための手段】
木質の絶縁性板状部材を取付け基盤（１）とし、前記取付け基盤（１）にあらかじめ各単位照明器具の取付け位置に対応する孔（２）を開けておき、照明器具がねじ込み形のものの場合は磁器製ねじ込みソケット（裏面接続形ランプレセプタクル）（３）を貫通させ、木螺子（３ａ）を用いる事により回転防止と浮き防止を図る。この木螺子を抜けば容易にソケットを取外すことができる。
【０００８】
当然のことながら前記取付け基盤（１）に付ける単位照明器具（３，１３）の数、種類により部屋の照度、均斉度、光の方向性、演色性等を配慮した適切な設計をすることは通常の場合と同然である。
【０００９】
蛍光灯（１６）が単位照明器具（１３）の場合は、その金属製頂部（１３ａ）に螺旋状金属部材（オス）（１３ｂ）を数個の螺子で取付け（１３ｃ）、前記取付け基盤（１）を貫通させて、裏面（１ｂ）において着脱容易な締付け環（メス）（１３ｄ）で固定する。
【００１０】
電気系統については前記取付け基盤（１）の裏面に単位照明器具に対応する数の並列配線（４）と負荷容量に見合った電源プラグコード（７）を磁器製ねじ込みソケットの端子部（３ｂ）で接続する。また蛍光灯の場合は電源プラグコード（７）をそのまま使用する。さらに電気配線（４）を接続するソケット端子部（３ｂ）に対しては塵埃と吸湿による電気的故障を未然に防止するためのカバー（３ｃ）を取付ける。
【００１１】
前述のとおり、前記取付け基盤（１）、単位照明器具（３，１３）、電気配線（４）が容易に取外しが出来、永年使用した時も盤の表面を清掃、研削、塗装して再生し，単位照明器具（３，１３）を新品に取り替えることによって全体を実質的に新しい照明装置として末永く愛用することが可能になる。
【００１２】
単位照明器具（３，１３）を増設する場合、前記取付け基盤（１）の適当個所に単位照明器具（３，１３）に対応する孔を開け上記手順により取付ける。
【００１３】
前記取付け基盤（１）の周辺の隅部に掛吊り用の数個の孔（５）を開け、この孔を利用して紐（５ａ）、金属製チェーン、ボルト・ナット等で照明装置の重量に見合った構造体（例えば梁）に取付け、又は掛吊りして使用する
【００１４】
【発明の実施の形態】
発明の実施の形態を実施例にもとづき図面を参照して説明する。
図１、図３において、本装置を取付ける部屋の大きさ、天井高さ、照明必要個所を考慮して照度を計算しそれに対応する数の孔をそれぞれ適切な位置に開ける。
【００１５】
図１に示す実施例では、磁器製ねじ込みソケット（裏面接続形ランプレセプタクル）（３）を前記取付け基盤（１）の裏面（１ｂ）から貫通させた頂部が落下防止となり、木螺子（３ａ）で回転を防止させる。
【００１６】
図３に示す実施例では、金属製頂部（１３ａ）に螺旋状金属部材（オス）（１３ｂ）を取付け（１３ｃ）、前記取付け基盤（１）を貫通させて、裏面（１ｂ）において着脱容易な締付け環（メス）（１３ｄ）で固定する。
【００１７】
前記取付け基盤（１）の裏面に単位照明器具（３，１３）に対応する位置ならびに数の並列配線（４）と負荷容量と見合った電源プラグコード（７）を磁器製ねじ込みソケットの端子部（３ｂ）で接続する。蛍光灯が単位照明器具の場合は電源プラグコード（７）をその数に対応するコンセント（８）にプラグ接続を行う。
【００１８】
前記取付け基盤（１）の周辺の隅部に掛吊り用の数個の孔（５）を開け、この孔を利用して紐（５ａ）、金属製チェーン、ボルト・ナットより照明装置の重量に見合った構造体（例えば梁）に取付け又は掛吊りして使用する
【００１９】
【発明の効果】
本発明は、以上説明したように構成されているので、以下に記載するようなこの種装置として好ましい数々の効果を奏する。その有用性には著しいものがある。
【００２０】
本発明は屋内で使用するため前記取付け基盤（１）が長年月に亘って使用出来、単位照明器具、配線を取付け取外しが容易とした構造によって単位照明器具が老朽化しても整備、修理、交換により木の耐用年数以上使用できる。永年使用した前記取付け基盤（１）は表面を清掃又は研削、研磨、塗装することにより木のぬくもりが出、鮮やかな表面に蘇る。
【００２１】
前記取付け基盤（１）本来の優れた耐久性を活用して、子孫に永く使用継続させることができることに加え、先々単位照明器具の増設をすることも容易で、スイッチを取付けて必要個所の照明器具を選択できる。
【００２２】
電気を供給する一対の電気配線から適切な複数の単位照明器具の配列が得られるように設計することができる。
【００２３】
将来の照明器具の増加や交換にともない、重量が増加する場合を想定して、それに十分耐え得る構造を、予め設計段階で取入れておくことが可能である。
【００２５】
前記取付け基盤（１）として、例えば年数を経た銘木と称される材料を用いていることにより、優雅にして落ち着きのある天井のインテリヤにもなり、また取付け基盤（１）に多種の季節の草花、造花やキャラクターを吊るすことにより、楽しい平和な家庭の団欒を具現することも期待できる。
【００２６】
掛吊り位置を利用して前記取付け基盤（１）を全面交換し、新たな照明装置として代替することができる。
【図面の簡単な説明】
【図１】第１実施例の使用状態を示す斜視図。
【図２】第１実施例の照明器具取付け状態を示す断面図
【図３】第２実施例の使用状態を示す斜視図
【図４】第２実施例の照明器具取付け状態を示す断面図
【符号の説明】
１    木質の絶縁性板状部材の基盤
１ａ  木質の絶縁性板状部材の基盤表面
１ｂ  木質の絶縁性板状部材の基盤裏面
２    単位照明器具の取付け孔
３    単位照明器具
３ａ  木螺子
３ｂ  ソケットの端子部
３ｃ  電源露出部カバー
４    電気配線
５    掛吊り用孔
５ａ  掛吊り用紐
６    電球等
７    電源プラグコード
８    コンセント
１３  単位照明器具
１３ａ  金属製頂部
１３ｂ  螺旋状金属部材
１３ｃ  螺旋状金属部材止め螺子
１３ｄ  締付け環
１６  蛍光灯等
【図１】
0003932774.tif 000002
【図２】
0003932774.tif 000003
【図３】
0003932774.tif 000004
【図４】
0003932774.tif 000005